(57)【特許請求の範囲】
【請求項１】
メインデバイスとして機能するＰＯＳ端末と、当該メインデバイスに接続されて用いられる１以上のサブデバイスとして機能するＰＯＳ周辺機器と、から成る接続システムであって、
前記メインデバイスは、
自デバイスの設定情報および前記１以上のサブデバイスの設定情報を記憶するメインデバイス用記憶部と、
前記１以上のサブデバイスのうち、任意のサブデバイスが交換された場合、当該任意のサブデバイスの代用として新規接続された新サブデバイスに対して、前記メインデバイス用記憶部から読み出した前記任意のサブデバイスの設定情報を送信するメインデバイス用送受信部と、を備え、
前記各サブデバイスは、
少なくとも、自デバイスの設定情報および前記メインデバイスの設定情報を記憶するサブデバイス用記憶部と、
前記メインデバイスが交換された場合、当該メインデバイスの代用として新規接続された新メインデバイスに対して、前記サブデバイス用記憶部から読み出した前記メインデバイスの設定情報を送信するサブデバイス用送受信部と、を備え、
前記メインデバイス用送受信部は、
前記１以上のサブデバイスに対してグループＩＤの送信を指令し、前記１以上のサブデバイスから返信されたグループＩＤが未設定である場合に、前記メインデバイス用記憶部に記憶された設定情報を、前記グループＩＤが未設定のサブデバイスに送信することを特徴とする接続システム。
【請求項２】
前記メインデバイスに、複数のサブデバイスが接続されている場合、
前記サブデバイス用記憶部は、自デバイスを含む前記複数のサブデバイスの設定情報および前記メインデバイスの設定情報を記憶しており、
前記サブデバイス用送受信部は、前記新メインデバイスに対して、前記サブデバイス用記憶部から読み出した前記複数のサブデバイスの設定情報および前記メインデバイスの設定情報を送信することを特徴とする請求項１に記載の接続システム。
【請求項３】
前記サブデバイス用記憶部は、自デバイスが属する前記接続システムのグループＩＤをさらに記憶しており、
前記メインデバイスは、
前記任意のサブデバイスが交換された場合、前記新サブデバイスに前記グループＩＤが既に設定されているか否かを判別し、既に設定されている場合は、当該新サブデバイスの設定情報を書き換えることなく接続を許可するメインデバイス用接続許可部をさらに備えたことを特徴とする請求項１または２に記載の接続システム。
【請求項４】
前記メインデバイス用送受信部は、前記新サブデバイスに前記グループＩＤが既に設定されているか否かを判別し、設定されていない場合に、当該新サブデバイスに対して前記任意のサブデバイスの設定情報を送信することを特徴とする請求項３に記載の接続システム。
【請求項５】
メインデバイスとして機能するＰＯＳ端末と、当該メインデバイスに接続されて用いられる１以上のサブデバイスとして機能するＰＯＳ周辺機器と、から成る接続システムの設定情報管理方法であって、
前記メインデバイスが、自デバイスの設定情報および前記１以上のサブデバイスの設定情報を、自デバイス内のメインデバイス記憶部に記憶するメインデバイス用記憶ステップと、
前記各サブデバイスが、自デバイスの設定情報および前記メインデバイスの設定情報を、自デバイス内のサブデバイス用記憶部に記憶するサブデバイス用記憶ステップと、
前記１以上のサブデバイスのうち、任意のサブデバイスが交換されたとき、前記メインデバイスが、前記任意のサブデバイスの代用として新規接続された新サブデバイスに対して、前記メインデバイス用記憶部から読み出した前記任意のサブデバイスの設定情報を送信するメインデバイス用送受信ステップと、
前記メインデバイスが交換されたとき、前記１以上のサブデバイスのうちいずれか１のサブデバイスが、前記メインデバイスの代用として新規接続された新メインデバイスに対して、前記サブデバイス用記憶部から読み出した前記メインデバイスの設定情報を送信するサブデバイス用送受信ステップと、を備え、
前記メインデバイス用送受信ステップは、
前記１以上のサブデバイスに対してグループＩＤの送信を指令し、前記１以上のサブデバイスから返信されたグループＩＤが未設定である場合に、前記メインデバイス記憶部に記憶された設定情報を、前記グループＩＤが未設定のサブデバイスに送信することを特徴とする接続システムの設定情報管理方法。
【請求項６】
コンピューターに、請求項５に記載の接続システムの設定情報管理方法における各ステップを実行させるためのプログラム。
【発明の詳細な説明】
【技術分野】
【０００１】
本発明は、メインデバイスと、当該メインデバイスに接続されて用いられる１以上のサ
ブデバイスと、から成る接続システム、接続システムの設定情報管理方法およびプログラ
ムに関するものである。
【背景技術】
【０００２】
従来、この種の接続システムでは、デバイスの変更（入れ替え）が行われた場合、新規
接続された新デバイスに対し、設定情報を設定し直す必要がある。このため、例えばパー
ソナルコンピューター（以降ＰＣと記載する）等の場合、外部記憶装置を接続してＰＣに
接続されている各デバイスの設定情報をバックアップしていた（例えば、特許文献１）。
【先行技術文献】
【特許文献】
【０００３】
【特許文献１】特開２００９−１２９３１４号公報
【発明の概要】
【発明が解決しようとする課題】
【０００４】
しかしながら、上記のように外部記憶装置に設定情報をバックアップしておく方法では
、定期的にバックアップを行う必要があり、面倒であった。また、通常バックアップ用の
外部記憶装置は１台だけであるため、例えばメインデバイスの入れ替えを行ったような場
合であって、当該外部記憶装置が故障してしまった場合は、設定情報の復旧を行うことが
できないといった問題もあった。
【０００５】
本発明は、上記の問題点に鑑み、例えばメインデバイスの入れ替えを行ったような場合
に、設定情報の復元を容易且つ確実に行うことができる接続システム、接続システムの設
定情報管理方法およびプログラムを提供することを目的とする。
【課題を解決するための手段】
【０００６】
本発明の接続システムは、メインデバイスとして機能するＰＯＳ端末と、当該メインデバイスに接続されて用いられる１以上のサブデバイスとして機能するＰＯＳ周辺機器と、から成る接続システムであって、メインデバイスは、自デバイスの設定情報および前記１以上のサブデバイスの設定情報を記憶するメインデバイス用記憶部と、１以上のサブデバイスのうち、任意のサブデバイスが交換された場合、当該任意のサブデバイスの代用として新規接続された新サブデバイスに対して、メインデバイス用記憶部から読み出した任意のサブデバイスの設定情報を送信するメインデバイス用送受信部と、を備え、各サブデバイスは、少なくとも、自デバイスの設定情報およびメインデバイスの設定情報を記憶するサブデバイス用記憶部と、メインデバイスが交換された場合、当該メインデバイスの代用として新規接続された新メインデバイスに対して、サブデバイス用記憶部から読み出したメインデバイスの設定情報を送信するサブデバイス用送受信部と、を備え、メインデバイス用送受信部は、１以上のサブデバイスに対してグループＩＤの送信を指令し、１以上のサブデバイスから返信されたグループＩＤが未設定である場合に、メインデバイス用記憶部に記憶された設定情報を、グループＩＤが未設定のサブデバイスに送信することを特徴とする。
【０００７】
本発明の接続システムの設定情報管理方法は、メインデバイスとして機能するＰＯＳ端末と、当該メインデバイスに接続されて用いられる１以上のサブデバイスとして機能するＰＯＳ周辺機器と、から成る接続システムの設定情報管理方法であって、メインデバイスが、自デバイスの設定情報および前記１以上のサブデバイスの設定情報を、自デバイス内のメインデバイス記憶部に記憶するメインデバイス用記憶ステップと、各サブデバイスが、自デバイスの設定情報および前記メインデバイスの設定情報を、自デバイス内のサブデバイス用記憶部に記憶するサブデバイス用記憶ステップと、１以上のサブデバイスのうち、任意のサブデバイスが交換されたとき、メインデバイスが、任意のサブデバイスの代用として新規接続された新サブデバイスに対して、メインデバイス用記憶部から読み出した任意のサブデバイスの設定情報を送信するメインデバイス用送受信ステップと、メインデバイスが交換されたとき、１以上のサブデバイスのうちいずれか１のサブデバイスが、メインデバイスの代用として新規接続された新メインデバイスに対して、サブデバイス用記憶部から読み出したメインデバイスの設定情報を送信するサブデバイス用送受信ステップと、を備え、メインデバイス用送受信ステップは、１以上のサブデバイスに対してグループＩＤの送信を指令し、１以上のサブデバイスから返信されたグループＩＤが未設定である場合に、メインデバイス記憶部に記憶された設定情報を、グループＩＤが未設定のサブデバイスに送信することを特徴とする。
【０００８】
これらの構成によれば、メインデバイスの設定情報は、接続されている各サブデバイス
内に記憶され、サブデバイスの設定情報は、メインデバイス内に記憶されているため、メ
インデバイスおよびサブデバイスのいずれのデバイスを交換した場合でも、元の設定情報
を他方のデバイスから読み出して新規接続された新デバイスに送信することで、直ちにシ
ステムを復旧することが可能となる。また、１以上のサブデバイスの全てがサブデバイス
用記憶部を備えているため、メインデバイスが交換されたときに、いずれか１のサブデバ
イスが故障した場合でも、支障なく設定情報の復元を行うことができる。
【０００９】
この場合、メインデバイスに、複数のサブデバイスが接続されている場合、サブデバイス用記憶部は、自デバイスを含む複数のサブデバイスの設定情報およびメインデバイスの設定情報を記憶しており、サブデバイス用送受信部は、新メインデバイスに対して、サブデバイス用記憶部から読み出した複数のサブデバイスの設定情報およびメインデバイスの設定情報を送信することが好ましい。
【００１０】
この構成によれば、メインデバイスだけでなくサブデバイスも接続されている全てのデ
バイスの設定情報を記憶しているため、メインデバイスが交換されたとき、サブデバイス
からメインデバイスの設定情報を送信すると同時に、全てのサブデバイスの設定情報も送
信することができる。これにより、新メインデバイスが全てのサブデバイスから設定情報
を取得する必要がなくなり、システムの復旧をより迅速に行うことができる。また、メイ
ンデバイスとサブデバイスとが同時に交換された場合でも、支障なく設定情報の復元を行
うことができる。
【００１１】
この場合、サブデバイス用記憶部は、自デバイスが属する接続システムのグループＩＤ
をさらに記憶しており、メインデバイスは、任意のサブデバイスが交換された場合、新サ
ブデバイスにグループＩＤが既に設定されているか否かを判別し、既に設定されている場
合は、当該新サブデバイスの設定情報を書き換えることなく接続を許可するメインデバイ
ス用接続許可部をさらに備えていることが好ましい。
【００１２】
この構成によれば、メインデバイスは、グループＩＤが既に設定されているサブデバイ
スが接続された場合でも、その接続を許可するため、サブデバイス内に旧設定情報を残し
たまま、サブデバイスを利用することができる。これにより、サブデバイスに不具合が生
じ、緊急対応として一時的に他のサブデバイスを接続したような場合、当該他のサブデバ
イスに不適切な設定情報が設定されることを防止することができる。
なお、メインデバイス側ではなく、サブデバイス側に接続許可部を備えても良い。
【００１３】
この場合、メインデバイス用送受信部は、新サブデバイスにグループＩＤが既に設定されているか否かを判別し、設定されていない場合に、当該新サブデバイスに対して任意のサブデバイスの設定情報を送信することが好ましい。
【００１４】
この構成によれば、グループＩＤを有するサブデバイスが接続された場合には、設定情
報を送信しないため、例えば同じようなシステム構成が複数存在している状況でサブデバ
イスの交換があった場合に、当該サブデバイスに対し、誤って他のグループの設定情報が
設定されてしまうなどの問題を回避することができる。
なお、メインデバイス側ではなく、サブデバイス側でグループＩＤの照合を行っても良
い。
【００１５】
本発明のプログラムは、コンピューターに、上記に記載の接続システムの設定情報管理
方法における各ステップを実行させることを特徴とする。
【００１６】
このプログラムを用いることにより、設定情報の復元を容易且つ確実に行うことができ
る接続システムの設定情報管理方法を実現することができる。
【図面の簡単な説明】
【００１７】
【図１】第１実施形態に係る接続システムの制御ブロック図である。
【図２】第１実施形態に係る接続システムの機能ブロック図である。
【図３】第１実施形態に係る各デバイスの保持情報である。
【図４】第１実施形態に係る接続システムの設定情報移行処理を示すフローチャートである。
【図５】図４に続く、フローチャートである。
【図６】第２実施形態に係る各デバイスの保持情報である。
【図７】第３実施形態に係る各デバイスの保持情報である。
【発明を実施するための形態】
【００１８】
[第１実施形態]
以下、添付の図面を参照して、本発明の一実施形態に係る接続システム、接続システム
の設定情報管理方法およびプログラムについて説明する。なお、本実施形態では接続シス
テムとして、スーパーマーケット等の小売店舗において用いられるＰＯＳ（Point  Of  S
ales）端末をメインデバイスとし、ＰＯＳ周辺機器（レシートプリンター、バーコードス
キャナーおよびカスタマディスプレイ）をサブデバイスとした構成を例示する。
【００１９】
図１は、本実施形態に係る接続システム１の構成を示す制御ブロック図である。同図に
示すように、接続システム１は、オペレーターにより入力された商品情報に基づいて会計
処理を行うＰＯＳ端末２と、レシートプリンターとして機能するプリンター３と、バーコ
ードスキャナー（ハンディスキャナー）として機能するスキャナー４と、カスタマディス
プレイとして機能する表示器５と、によって構成されている。また、ＰＯＳ端末２は、プ
リンター３、スキャナー４および表示器５と、それぞれ異なるインターフェイスを介して
接続されている。
【００２０】
ＰＯＳ端末２は、ＣＰＵ（Central  Processing  Unit）２１、ＲＯＭ（Read  Only  M
emory）２２、ＲＡＭ（Random  Access  Memory）２３、不揮発性メモリ２４およびＰＯ
Ｓ端末用インターフェイス２５を備えている。ＣＰＵ２１は、ＰＯＳ端末２の統括制御を
行う。ＲＡＭ２３は、ＣＰＵ２１が各種処理を実行する際のワークエリアとして用いられ
る。ＲＯＭ２２は、ＣＰＵ２１が各種処理を実行するための制御プログラムや制御データ
を記憶する。なお、制御プログラムには、会計処理を行うためのＰＯＳアプリケーション
２６と、各デバイスの設定情報およびグループＩＤを管理するための設定情報管理プログ
ラム２７と、が含まれる。ＰＯＳ端末２は、メインデバイスとして機能するためのメイン
デバイス用の設定情報管理プログラム２７が組み込まれている。なお、接続システム１で
は、各デバイスに組み込まれた設定情報管理プログラム２７，３７に基づいて、後述する
設定情報移行処理を実行する。
【００２１】
不揮発性メモリ２４は、接続システム１に接続されている全デバイス（ＰＯＳ端末２、
プリンター３、スキャナー４および表示器５）の設定情報およびグループ（所属している
接続システム）を識別するためのグループ情報を記憶する。以下、これら設定情報および
グループ情報を、「保持情報」と総称する。また、ＰＯＳ端末用インターフェイス２５は
、それぞれプリンター３、スキャナー４および表示器５と接続される複数のインターフェ
イス２５ａ,２５ｂ，２５ｃ（ポート）から成る。これらのインターフェイスとしては、
ＵＳＢインターフェイス、シリアルインターフェイスおよびイーサネット（登録商標）イ
ンターフェイス等が採用される。
【００２２】
一方、プリンター３は、ＣＰＵ３１、ＲＯＭ３２、ＲＡＭ３３、プリンター用インター
フェイス３４（以下、プリンター用Ｉ／Ｆと記載する）、不揮発性メモリ３５および印刷
機構３６を備えている。ＲＯＭ３２には、ＰＯＳ端末２と同様に、設定情報管理プログラ
ム３７を記憶する。なお、スキャナーおよび表示器のＲＯＭ４２，５２にも、設定情報管
理プログラム３７が記憶される。但し、これらプリンター３、スキャナー４および表示器
５には、サブデバイスとして機能するためのサブデバイス用の設定情報管理プログラム２
７が組み込まれている。
【００２３】
プリンター用インターフェイス３４は、ＰＯＳ端末２と接続される専用インターフェイ
スである。また、不揮発性メモリ３５は、ＰＯＳ端末２と同様に、接続システム１に接続
されている全デバイスの保持情報を記憶する。印刷機構３６は、用紙搬送機構および印刷
ヘッドにより、ＰＯＳ端末２から出力された印刷データをレシート用紙に印刷する。
【００２４】
スキャナー４は、ＣＰＵ４１、ＲＯＭ４２、ＲＡＭ４３、スキャナー用インターフェイ
ス４４（以下、スキャナー用Ｉ／Ｆと記載する）、不揮発性メモリ４５および画像読取部
４６を備えている。スキャナー用Ｉ／Ｆ４４は、ＰＯＳ端末２と接続される専用インター
フェイスである。また、画像読取部４６は、商品に貼付または印刷された商品バーコード
を読み取る。
【００２５】
表示器５は、ＣＰＵ５１、ＲＯＭ５２、ＲＡＭ５３、表示器用インターフェイス５４（
以下、表示器用Ｉ／Ｆと記載する）、不揮発性メモリ５５および表示画面５６を備えてい
る。表示器用Ｉ／Ｆ５４は、ＰＯＳ端末２と接続される専用インターフェイスである。ま
た、表示画面５６は、ＰＯＳ端末２から出力された、商品名や商品金額を示す表示データ
を表示する。
【００２６】
次に、図２を参照し、接続システム１の機能構成について説明する。ＰＯＳ端末２は、
主な機能構成としてメインデバイス用記憶部６１、メインデバイス用接続許可部６２、メ
インデバイス用送受信部６３を有している。
【００２７】
メインデバイス用記憶部６１は、ＰＯＳ端末２自身の保持情報および、各サブデバイス
から送信された、全サブデバイスの保持情報を記憶する。メインデバイス用接続許可部６
２は、サブデバイスの交換が行われた場合であって、当該サブデバイスが既にグループＩ
Ｄを有している場合、当該新サブデバイスの設定情報を更新しない(書き換えない)で接続
を許可する。
【００２８】
メインデバイス用送受信部６３は、ＰＯＳ端末２の保持情報および、サブデバイスの保
持情報の管理を行い、ＰＯＳ端末２と全サブデバイスとの間の情報の送受信を行う。例え
ば、メインデバイス用送受信部６３は、サブデバイスの交換が行われた場合であって、新
規接続された新サブデバイスのグループＩＤが未設定を示すものである場合、ＰＯＳ端末
２内に記憶している保持情報（設定情報）を当該新サブデバイスに送信する。その他、設
定情報移行処理については、後述する。なお、メインデバイス用接続許可部６２およびメ
インデバイス用送受信部６３は、メインデバイス用の設定情報管理プログラム２７にした
がって動作する。
【００２９】
各サブデバイスは共通して、主な機能構成として、サブデバイス用記憶部６４およびサ
ブデバイス用送受信部６５を有している。ここでは、プリンター３を例に挙げて説明する
。
【００３０】
サブデバイス用記憶部６４は、プリンター３自身の保持情報と、ＰＯＳ端末２から送信
された、ＰＯＳ端末２の保持情報および、自身以外の各サブデバイス（ここでは、スキャ
ナー４および表示器５）の保持情報を記憶する。
【００３１】
サブデバイス用送受信部６５は、自身（ここではプリンター３）の保持情報および、Ｐ
ＯＳ端末から送信された、全ての保持情報の管理を行い、自身（ここではプリンター３）
とＰＯＳ端末２との間の情報の送受信を行う。なお、サブデバイス用送受信部６５は、サ
ブデバイス用の設定情報管理プログラム３７にしたがって動作する。また、他のサブデバ
イスについても同様の機能を有する。
【００３２】
次に、図３を参照し、各デバイスの保持情報について説明する。同図Ｅ１は、各デバイ
スに記憶される保持情報の一覧を示している。同図Ｅ１に示すように、各デバイスは、各
デバイス内に、設定情報およびグループ情報から成る保持情報を記憶している。グループ
情報としては、いずれのデバイスも、自身（自デバイス）が所属しているグループのグル
ープＩＤを記憶している。
一方、設定情報は、メインデバイスとサブデバイスで、その内容が異なる。例えば、メ
インデバイスとして機能するＰＯＳ端末２は、設定情報として、コンピューター名、ＩＰ
アドレス、ＭＡＣアドレス、ＯＳ種別、接続されている各デバイスのＩ／Ｏ設定情報等を
記憶している。Ｉ／Ｏ設定情報とは、どのインターフェイスにどのデバイスが接続されて
いるかを示す情報である。また、サブデバイスとして機能するプリンター３、スキャナー
４および表示器５は、設定情報として、Ｉ／Ｏ種別、転送速度・制御コード等を記憶して
いる。Ｉ／Ｏ種別とは、ＰＯＳ端末（メインデバイス）がどのインターフェイスに接続さ
れているかを示す情報である。また、転送速度・制御コードは、ＰＯＳ端末との通信に関
する情報である。このように、設定情報は、メインデバイスとサブデバイスとで、若干そ
の内容が異なるが、いずれも接続形態や通信に関する情報が含まれる。
また、同図Ｅ２は、各デバイスが、どのデバイスの設定情報を記憶しているかに関する
対象デバイス情報を示している。同図Ｅ２に示すように、各デバイスは、接続システム１
内の自身を含む全てのデバイスの設定情報を記憶している。つまり、全てのデバイスが、
全てのデバイスの保持情報を共有している。例えば、ＰＯＳ端末２は、自身の保持情報と
、プリンター３、スキャナー４、表示器５それぞれの保持情報を含めた、４つデバイスの
保持情報を記憶している。
【００３３】
このように接続システム１内の各デバイスがシステム内の全デバイスの保持情報を共有
することで、デバイスの数だけバックアップデータを保持することになり、結果として設
定情報の消失を防ぐことができる。また、接続システム１内のいずれのデバイスに交換の
必要性が生じても、各デバイスが保持情報を共有しているため、新たなデバイス交換され
ても即座にセットアップを行うことが可能となる。
【００３４】
ここで、図４および図５のフローチャートを参照し、接続システム１内のいずれかのデ
バイスが交換された際の設定情報移行処理について説明する。なお、本実施形態において
は、接続システム１内に複数接続されているサブデバイスには、メインデバイスがアクセ
スを行う優先順位が定められているものとする。
【００３５】
まず、メインデバイスは、電源ＯＮ後、自身が保持情報を有しているか否かの判定を行
う（Ｓ０１）。ここで、メインデバイスが保持情報を有している場合は（Ｓ０１：Ｙｅｓ
）、図５の処理に移行する（Ａ）。また、メインデバイスが保持情報を有していない場合
は（Ｓ０１：Ｎｏ）、サブデバイスに対して、サブデバイスが保持しているメインデバイ
スおよび、全サブデバイスの保持情報の送信指令を行う（Ｓ０２）。保持情報の送信指令
を受け取ったサブデバイスは、自デバイス内にメインデバイスおよびサブデバイスの保持
情報が保持されているか否かを判定する（Ｓ０３）。ここで、メインデバイスおよびサブ
デバイスの保持情報を有している場合は（Ｓ０３：Ｙｅｓ）、当該保持情報をメインデバ
イスに送信し（Ｓ０４）、保持情報を有していない場合は（Ｓ０３：Ｎｏ）、メインデバ
イスに対してその旨を通知する（Ｓ０５）。
【００３６】
メインデバイスは、サブデバイスから保持情報を受信すると（Ｓ０６：Ｙｅｓ）、自デ
バイスに設定情報を設定し（Ｓ０７）、図５の処理に移行する（Ａ）。また、サブデバイ
スから保持情報を受信できなかった場合（サブデバイスが保持情報を有していない旨を通
知された場合）（Ｓ０６：Ｎｏ）、第２のサブデバイス(メインデバイスのアクセス優先
順位が２番目に高いサブデバイス)に対して、再度Ｓ０２以降の処理を行う（Ｓ０８）。
【００３７】
一方、Ｓ０１：Ｙｅｓの場合、メインデバイスは、図５に示すように、グループ内の全
てのサブデバイス、若しくは新規接続を検出したサブデバイスに対してグループＩＤの送
信指令を行う（Ｓ０９）。サブデバイスは、ＩＤ送信指令を受信すると、自デバイスのグ
ループＩＤをメインデバイスに送信する（Ｓ１０）。
【００３８】
メインデバイスは、サブデバイスからグループＩＤを受信すると、サブデバイスがグル
ープＩＤを有しているか否かの判定を行う（Ｓ１１）。サブデバイスのグループＩＤが未
設定の場合は（Ｓ１１：Ｙｅｓ）、自デバイスに記憶しているメインデバイスおよび、接
続システム１内の全サブデバイスの保持情報を、サブデバイスに送信し（Ｓ１２）、サブ
デバイスの接続許可を行う（Ｓ１３）。一方、サブデバイスは、受信した保持情報に基づ
いて情報設定を行う（Ｓ１４）。また、Ｓ１１：Ｎｏの場合は、サブデバイスに対して保
持情報は送信しないが、接続許可は行う（Ｓ１３）。
【００３９】
以上説明したとおり、第１実施形態によれば、接続システム１を構築しているＰＯＳ端
末２およびＰＯＳ端末２に接続されている全てのサブデバイスに、各デバイスの設定情報
を共有し保持しておくため、いずれかのデバイスに何らかの異常等が発生して交換の必要
性が生じた場合にも、新たに接続されたデバイスの設定情報の復元を容易且つ確実に行う
ことができる。
【００４０】
また、上記第１実施形態によれば、メインデバイスおよびサブデバイスが、自デバイス
が属する接続システム１のグループＩＤを記憶しており、メインデバイスが、サブデバイ
スに対してグループＩＤの送信を指令し、返信された当該グループＩＤが未設定を示す情
報である場合に、他のデバイスから設定情報を取得して設定を行うため、大型のスーパー
マーケットなど同じようなシステム構成が複数存在している状況でデバイスの交換があっ
た場合でも、誤って他のグループの設定情報を他のデバイスに設定してしまうなどの問題
を回避することができる。
【００４１】
なお、上記第１実施形態において、各デバイスに自身の異常の有無を確認する動作状況
確認手段を備え、各デバイスが設定情報と共に、動作状況を保持すると共に、他デバイス
に通知する機能を有しても良い。
この場合、例えば、通常メインデバイス（第１実施形態ではＰＯＳ端末２）が交換され
た場合、保持されている情報の読み出しは、メインデバイスとのアクセス優先権が高いサ
ブデバイスから順に行われるが、接続されている全デバイスの動作状況を先に確認してか
ら、メインデバイスのアクセス優先権の順位を変更させ、図４に示した処理手順を踏むこ
とで、保持情報を有していない（何らかの異常により保持情報を送信できない）デバイス
へアクセスする工程を省くといった使用方法が考えられる。
さらに、不良なデバイスが所持している信頼性の低い保持情報を、新たに接続されたデ
バイスに通知する可能性が低くなるため、結果として、接続システム１内の全デバイスが
共有する情報の信頼性を高めることに繋がる。
【００４２】
なお、上記第１実施形態では、サブデバイスのグループＩＤが既に設定されている場合
、保持情報を送信しないものとしたが、各デバイスが保持する設定情報に情報のランクを
付加し、ランクが低い情報についてはグループＩＤを有しているデバイスに対しても通知
可能としても良い。この場合、グループＩＤが異なる接続システムからデバイスが持ち込
まれ接続された場合に、通信速度などランクの低い設定情報を、使用するグループの使用
環境に適応させることで作業の効率が高まり、さらに、ランクの高い情報を不用意に別グ
ループのデバイスに通知することがなくなるため、セキュリティーを確保しつつ、利便性
の向上を図ることができる。
【００４３】
また、上記第１実施形態においてサブデバイスのグループＩＤを有している場合には、
その旨を表示し（例えば表示器５）、ユーザーが実行ボタン（例えばＰＯＳ端末２に設置
）を押下することにより保持情報（設定情報）の移行を行うようにしてもよい。
【００４４】
また、上記第１実施形態において、メインデバイスは各デバイスが保持するＩ／Ｏ種別
の設定情報に応じて、メインデバイスのアクセス優先権の順位および、通知する設定情報
の種類を変更させても良い。これにより、例えば、通常の接続方法（Ｉ／Ｏ種別の設定情
報にしたがったインターフェイス）に接続されたサブデバイスに対しては、全ての設定情
報を通知するが、通常と異なる接続方法（Ｉ／Ｏ種別の設定情報とは異なるインターフェ
イス）に接続されたサブデバイスに対しては、上記のランクの低い情報のみを通知し、通
信速度などの基本的な設定のみを行うといった使い方が考えられる。
【００４５】
また、上記第１実施形態においては、メインデバイス側でサブデバイスのグループＩＤ
を照合していたが、サブデバイス側で、グループＩＤの照合を行うようにしても良い。つ
まり、サブデバイス用送受信部６５が、新規接続された新メインデバイスからグループＩ
Ｄを取得し、当該グループＩＤが未設定を示す情報である場合に、当該新メインデバイス
に対してメインデバイスの設定情報を送信する構成としても良い。また、メインデバイス
用接続許可部６２の機能を、サブデバイス側で実現しても良い。つまり、メインデバイス
が交換された場合、新メインデバイスにグループＩＤが既に設定されているか否かを判別
し、新メインデバイスにグループＩＤが既に設定されている場合、新メインデバイスの設
定を書き換えない状態で接続を許可するサブデバイス用接続許可部を備えても良い。
【００４６】
［第２実施形態］
次に、図６を参照し、本発明の第２実施形態について説明する。上記の第１実施形態で
は、保持情報として設定情報とグループ情報を記憶しておくものとしたが、本実施形態は
、グループ情報の記憶を省略した点で異なる。以下、第１実施形態と異なる点のみ説明す
る。
【００４７】
図６は、第２実施形態に係る保持情報を示す図である。このように、グループ情報の記
憶を省略することで、上記の設定情報移行処理において、交換されたデバイスのグループ
ＩＤを確認する必要がなくなり、結果として情報処理をより迅速に行うことができる。し
たがって、同じようなシステム構成が複数存在しない状況に有効なシステム構成となる。
【００４８】
［第３実施形態］
次に、図７を参照し、本発明の第３実施形態について説明する。上記の第１実施形態お
よび第２実施形態では、全てのデバイスが全デバイスの設定情報を記憶しておくものとし
たが、本実施形態は、サブデバイスが他デバイスの設定情報を記憶しない点で異なる。
【００４９】
図７は、第３実施形態に係る保持情報を示す図である。このように、第３実施形態では
メインデバイスのみが接続システム１内の全てのデバイスの設定情報を記憶しており、サ
ブデバイスは自身の設定情報のみを記憶している。この構成によれば、メインデバイスが
交換された場合の設定情報の移行は行えないが、サブデバイスの設定情報は、メインデバ
イスにより容易に行うことができる。また、各サブデバイスに搭載されている記憶部の容
量もより小さいもので構成できる。
【００５０】
以上、３つの実施形態を記載したが、各実施形態に示した接続システム１の各構成要素
をプログラムとして提供することが可能である。また、そのプログラムを各種記録媒体（
ＣＤ−ＲＯＭ、フラッシュメモリ等）に格納して提供することも可能である。すなわち、
コンピューターを接続システム１の各構成要素として機能させるためのプログラム、およ
びそれを記録した記録媒体も、本発明の権利範囲に含まれるものである。
【００５１】
また、上記の実施形態では、接続システム１をＰＯＳ端末とその周辺機器に適用した場
合を例示したが、メインデバイスと１以上のサブデバイスとから成る他のデバイスシステ
ムに適用しても良い。その他、本発明の要旨を逸脱しない範囲で、適宜変更が可能である
。
【符号の説明】
【００５２】
１：接続システム、  ２：ＰＯＳ端末、  ３：プリンター、  ４：スキャナー、  ５：
表示器、  ６１：メインデバイス用記憶部、  ６２：メインデバイス用接続許可部、  ６
３：メインデバイス用送受信部、  ６４：サブデバイス用記憶部、  ６５：サブデバイス
用送受信部
【図１】
0005560819.tif 000002
【図２】
0005560819.tif 000003
【図３】
0005560819.tif 000004
【図４】
0005560819.tif 000005
【図５】
0005560819.tif 000006
【図６】
0005560819.tif 000007
【図７】
0005560819.tif 000008